(57)【要約】【課題】      あらゆる種類の眼鏡に装着でき、着用感が良く、着用中の当たり具合の調整や着脱が容易な眼鏡バンドを提供する。【解決手段】  眼鏡バンド10の少なくとも両端部10aが、弾性糸からなる糸条16を編目18が設けられるように編織して構成されているので、眼鏡12の蔓部14を複数の編目18に交互に貫挿するだけで、簡単に眼鏡バンド10を眼鏡12に装着することができる。また、弾性糸からなる糸条16で構成された編目18は、その大きさを容易に拡縮できるので、あらゆる種類の眼鏡に当該眼鏡バンドを装着することができる。そして、蔓部14同士を連結する眼鏡バンド10の長さは、蔓部14を貫挿する編目18の位置によって一義的に決定されるので、一旦決定した前記長さが変わることはなく、再調節が不要である。【選択図】    図１
2005221914.tif 000002
【特許請求の範囲】
【請求項１】
眼鏡の蔓部同士を連結するようにして装着することにより、前記眼鏡を着用した際、使用者の後頭部に係止され、前記眼鏡が顔面の着用位置からズレないように固定する眼鏡バンドであって、
少なくとも前記眼鏡の蔓部に装着する両端部が、弾性糸からなる糸条を編目が設けられるように編織して構成されていることを特徴とする眼鏡バンド。
【請求項２】
前記弾性糸がポリウレタン弾性糸，天然ゴム糸および合成ゴム糸の少なくとも１つを含むことを特徴とする請求項１に記載の眼鏡バンド。
【発明の詳細な説明】
【技術分野】
【０００１】
本発明は、視力矯正用眼鏡，老眼鏡，保護眼鏡およびサングラスなどの各種眼鏡に装着し、眼鏡を着用した際、眼鏡を顔面の着用位置からズレないように固定するための眼鏡バンドに関する。
【背景技術】
【０００２】
従来より、激しい運動や作業などにより着用した眼鏡が着用位置からズレたり外れたりしないようにする様々な技術が提案されている。
【０００３】
こうした技術として、まず、図４に示すように、バンド状の弾性布帛からなる本体(1a)を有し、該本体(1a)の両端部を略筒状に形成して装着部(1b)を設け、この装着部(1b)のそれぞれを眼鏡(3)の蔓部(5)の先端側から差込んで装着し、眼鏡(3)を着用した際バンド状の本体(1a)が使用者の後頭部に係止され、眼鏡(3)が顔面の着用位置からズレないように固定する眼鏡バンド(1)が知られている（例えば、特許文献１参照。）。
【０００４】
この技術で得られる眼鏡バンド(1)では、あらゆる種類の眼鏡に容易に装着でき、眼鏡着用時に使用者の後頭部に係止した本体(1a)の弾性回復力によって眼鏡(3)が顔面に圧着されるので、激しい運動や作業などを行ったとしても眼鏡(3)が着用位置からズレたり外れたりするのを防止することができる。
【０００５】
しかしながら、この眼鏡バンド(1)を眼鏡(3)に装着する際には、装着部(1b)の全体を一旦、蔓部(5)の水平部分(5a)に差込んだ後(図４参照)、眼鏡(3)の顔面への圧着力を調整するため、装着部(1b)を蔓部(5)先端方向に向けて引張り、蔓部(5)における装着部(1b)の差込み長を調節する必要がある。ここで、この眼鏡バンド(1)では、装着部(1b)の開口方向と蔓部(5)における装着部(1b)の移動方向とが略同一である。このため、使用者が装着部(1b)の差込み長を最も好適な位置に調節したとしても、装着部(1b)に開口方向[ 特に眼鏡(3)本体に取着された蔓部(5)の後端方向]の応力が加われば簡単に差込み長が変化する。したがって、例えば使用者が眼鏡バンド(1)を装着した眼鏡(3)を顔面から外し、再度着用する際などには、装着部(1b)の差込み長がずれ、使用者の顔面への圧着力が好適な状態から変化している場合が多い。かかる場合には、装着部(1b)の差込み長を再度調節しなければならず、面倒であるという問題があった。
【０００６】
一方、図示しないが、眼鏡の蔓部に取付部を設けるとともに、この取付部に、弾性体からなるバンド部を取り付ける技術が知られており（例えば、特許文献２参照。）、この中にはバンド部の長さを調整する調整具などを備えた形態も開示されている。かかる技術の場合、バンド部の長さを調整具で調整すれば、上述の技術と異なり、一旦決定した眼鏡バンドの圧着力が簡単に変化しないようにすることができる。
【０００７】
しかしながら、バンド部の長さを調整する調整具は弾性体で構成されたバンド部とは異なった硬度と強度とを有する部材で作られるのが一般的であり、このことは眼鏡バンドの使用者の頭部に硬い部品が圧着されることを意味し、使用者の着用感を悪化させる要因となる。さらに、この眼鏡バンドを眼鏡に装着するためには眼鏡の蔓部に別途取付部を設ける必要があることから、どのような眼鏡にも簡単に装着・使用し得る形態でないことは明らかである。
【０００８】
このように、あらゆる種類の眼鏡に装着でき、着用感が良く、着用中の当たり具合の調整や着脱が容易な眼鏡バンドは未だに開示されていないのが現状である。
【特許文献１】米国特許第４１３３６０４号明細書（第１−４頁、第１図）
【特許文献２】特開平８−１６６５６４号公報（第２−５頁、第１図）
【発明の開示】
【発明が解決しようとする課題】
【０００９】
それゆえに、本発明の主たる課題は、あらゆる種類の眼鏡に装着でき、着用感が良く、着用中の当たり具合の調整や着脱が容易な眼鏡バンドを提供することである。
【課題を解決するための手段】
【００１０】
請求項１に記載した発明は、「眼鏡(12)の蔓部(14)同士を連結するようにして装着することにより、眼鏡(12)を着用した際、使用者の後頭部に係止され、眼鏡(12)が顔面の着用位置からズレないように固定する眼鏡バンド(10)であって、少なくとも眼鏡(12)の蔓部(14)に装着する両端部(10a)が、弾性糸からなる糸条(16)を編目(18)が設けられるように編織して構成されている」ことを特徴とするものである。
【００１１】
この発明の眼鏡バンド(10)では、眼鏡(12)の蔓部(14)を眼鏡バンド(10)の両端部(10a)に設けられた複数の編目(18)に交互に貫挿するだけで、簡単に眼鏡バンド(10)を眼鏡(21)に装着することができる。
【００１２】
また、両端部(10a)に設けられた編目(18)は、弾性糸からなる糸条(16)によって構成されており、その大きさが容易に拡縮する。したがって、様々な太さや形状の蔓部(14)を編目(18)に貫挿でき、これによりあらゆる種類の眼鏡(3)に当該眼鏡バンド(10)を装着することができる。
【００１３】
さらに、調整具などを用いなくても、蔓部(14)を貫挿する編目(18)の位置を調節するだけで蔓部(14)同士を連結する眼鏡バンド(10)の長さを調節でき、着用感を損なうことなく、顔面への眼鏡(12)の圧着力を最も好適な状態に調節することができる。
【００１４】
そして、蔓部(14)同士を連結する眼鏡バンド(10)の長さは、蔓部(14)を貫挿する編目(18)の位置によって一義的に決定されるので、蔓部(14)を貫挿する編目(18)の位置を変えない限り一旦決定した前記長さが変わることはなく、再調節が不要である。
【００１５】
請求項２に記載した発明は、請求項１に記載の眼鏡バンド(10)において、「弾性糸がポリウレタン弾性糸，天然ゴム糸および合成ゴム糸の少なくとも１つを含む」ことを特徴とするもので、摩擦係数が高いこれらの弾性糸を用いることにより、編目(18)とこれに貫挿した眼鏡(12)の蔓部(14)との間で高い摩擦が発生し、眼鏡バンド(10)の両端部(10a)が眼鏡(12)の蔓部(14)から外れるのを防止することができる。
【００１６】
また、この摩擦は水が介在する際にも発揮されるため、例えば激しい運度や作業によって使用者が汗をかき眼鏡バンド(10)が濡れた場合や、マリンスポーツなど水に濡れる環境で使用する場合であっても、眼鏡バンド(10)が眼鏡(12)の蔓部(14)から外れるのを防止することができる。
【発明の効果】
【００１７】
本発明によれば、眼鏡バンドの少なくとも両端部が、弾性糸からなる糸条を編目が設けられるように編織して構成されているので、眼鏡の蔓部を複数の編目に交互に貫挿するだけで、簡単に眼鏡バンドを眼鏡に装着することができる。
【００１８】
また、弾性糸からなる糸条で構成された編目は、その大きさを容易に拡縮できるので、様々な太さや形状の蔓部をこの編目に貫挿でき、あらゆる種類の眼鏡に当該眼鏡バンドを装着することができる。
【００１９】
そして、蔓部同士を連結する眼鏡バンドの長さは、蔓部を貫挿する編目の位置によって一義的に決定されるので、着用感を損なうことなく、顔面への眼鏡の圧着力を最も好適な状態に調節できるとともに、一旦決定した前記長さが変わることはなく、再調節が不要である。
【００２０】
したがって、あらゆる種類の眼鏡に装着でき、着用感が良く、着用中の当たり具合の調整や着脱が容易な眼鏡バンドを提供することができる。
【発明を実施するための最良の形態】
【００２１】
図１に示すこの発明の一実施例の眼鏡バンド(10)は、眼鏡(12)の蔓部(14)同士を連結するようにして装着することにより、眼鏡(12)を着用した際、使用者の後頭部に係止され、眼鏡(12)が顔面の着用位置からズレないよう圧着して固定するものであり、両端部(10a)を含むバンド全体が、弾性糸からなる糸条(16)を編目(18)が設けられるように組紐状に編織して構成されたものである。
【００２２】
ここで、糸条(16)は、弾性糸のみで構成したものであってもよいし、また、綿およびシルクなどの天然繊維、レーヨン，キュプラ，ポリノジックおよびリヨセルなどの再生繊維、アセテートなどの半合成繊維、ポリエステル，ナイロン，アクリルおよびポリプロピレンなどの合成繊維等からなる非弾性糸の少なくとも一つと弾性糸とを組合せて構成したものであってもよい。つまり、糸条(16)が弾性糸を含み且つこれを編織して構成した編目(18)が十分に拡縮できるものであれば、弾性糸以外の糸を糸条(16)に混在させてもよい。なお、弾性糸と弾性糸以外の糸とを組合せることにより、例えば、糸条(16)を弾性糸と綿糸とで構成することによって眼鏡バンド(10)に吸水性を付与し、着用感を向上させることができるといったように、組合せる弾性糸以外の糸の機能を眼鏡バンド(10)に付与することも可能である。
【００２３】
また、糸条(16)を構成する弾性糸としては、ポリウレタン弾性糸，天然ゴム糸，合成ゴム糸およびウーリー糸などが該当し、これらの糸の少なくとも一つで糸条(16)が構成されている。なお、後述するように、眼鏡バンド(10)と蔓部(14)との係合性の観点から、これらの弾性糸のうち、ポリウレタン弾性糸，天然ゴム糸および合成ゴム糸のようなゴム弾性を有する摩擦抵抗が大きな弾性糸を用いるのが特に好適である。
【００２４】
この糸条(16)を構成する弾性糸の太さ(繊度)は、眼鏡バンド(10)の物性や使用時の着用感を考慮して決定されるが、概ね１０,０００ｄｔｅｘ以下であることが好ましく、より好ましくは４,０００ｄｔｅｘ以下である。弾性糸の繊度が１０,０００ｄｔｅｘよりも大きい場合には、弾性糸で構成された糸条(16)がゴツゴツした表面の粗いものとなり、眼鏡バンド(10)を後頭部に係止して使用した際に着用感が悪化するようになるからである。なお、糸条(16)を構成する弾性糸の太さ及びその本数を自由に組み合わせることによって、得られる糸条(16)の物性(太さや強さなど)を眼鏡バンド(10)に好適なものにすることができる。
【００２５】
また、糸条(16)を構成する弾性糸には、酸化チタンや酸化亜鉛等の添加剤が含有されていてもよいし、その形態は、後述する製紐機で製紐可能な糸条(16)を構成できるものであれば、紡績糸あるいはフィラメント糸などいずれであってもよい。そして、この弾性糸がフィラメント糸である場合には、単糸或いは複数本の単糸を撚り合わせた撚糸のいずれであってもよい。
【００２６】
さらに、弾性糸は、裸糸であってもよいし、綿およびシルクなどの天然繊維、レーヨン，キュプラ，ポリノジックおよびリヨセルなどの再生繊維、アセテートなどの半合成繊維、ポリエステル，ナイロン，アクリルおよびポリプロピレンなどの合成繊維等他の繊維で被覆したカバリング糸であってもよい。
【００２７】
次ぎに、上述した糸条(16)を用いて本実施例の眼鏡バンド(10)を製造するには、手組みにより組紐状の布帛を編織してもよいが、図示しない通常の丸打製紐機を用いることによって量産することが可能である。
【００２８】
丸打製紐機で眼鏡バンド(10)を製造するには、上述した糸条(16)を、管巻機を用いて製紐機用の木管に巻き取り、管巻を必要本数作成した後、丸打製紐機にこの管巻の糸条(16)を供給することにより、組紐状に編織された眼鏡バンド(10)を製造することができる。
【００２９】
ここで、組紐状に編織する眼鏡バンド(10)の打ち数は、例えば８打ち或いは１６打ちなど編目(18)が粗くなるものが好適である。このように眼鏡バンド(10)の編目(18)が粗いものであれば、当該編目(18)に眼鏡(12)の蔓部(14)を貫挿し易くなるからである。
【００３０】
また、製紐機で眼鏡バンド(10)を編織する際、芯糸は供給しないで編織する方が好ましい。組紐状に編織した眼鏡バンド(10)の中に芯糸があると、編目(18)に蔓部(14)を貫挿する際、邪魔になるからである。
【００３１】
以上のようにして製造された眼鏡バンド(10)を装着するには、眼鏡(12)の蔓部(14)を眼鏡バンド(10)両端部(10a)の複数の編目(18)に交互に貫挿し、蔓部(14)同士を眼鏡バンド(10)で連結するだけで、簡単に眼鏡バンド(10)を眼鏡(12)に装着することができる。
【００３２】
この場合において、両端部(10a)に設けられた編目(18)は、弾性糸からなる糸条(16)で構成されているため、その大きさが容易に拡縮する。したがって、様々な太さや形状の蔓部(14)を編目(18)に貫挿でき、これによりあらゆる種類の眼鏡に当該眼鏡バンド(10)を装着することができる。
【００３３】
ここで、糸条(16)を構成する弾性糸としてポリウレタン弾性糸，天然ゴム糸および合成ゴム糸などのゴム弾性を有する摩擦係数の高いものを用いると、編目(18)とこれに貫挿した眼鏡(12)の蔓部(14)との間で高い摩擦が発生し、眼鏡バンド(10)が眼鏡(12)の蔓部(14)から外れるのを防止することができる。なお、この摩擦は水が介在する際にも発揮されるため、例えば激しい運度や作業によって使用者が汗をかき眼鏡バンド(10)が濡れた場合や、マリンスポーツなど水に濡れる環境で使用した場合であっても、眼鏡バンド(10)が眼鏡(12)の蔓部(14)から外れるのを防止することができる。
【００３４】
さらに、調整具などを用いなくても、蔓部(14)を貫挿する編目(18)の位置を調節するだけで蔓部(14)同士を連結する眼鏡バンド(10)の長さを調節でき、着用感を損なうことなく、顔面への眼鏡(12)の圧着力を最も好適な状態に調節することができる。
【００３５】
そして、蔓部(14)同士を連結する眼鏡バンド(10)の長さは、蔓部(14)を貫挿する編目(18)の位置によって一義的に決定されるので、蔓部(14)を貫挿する編目(18)の位置を変えない限り一旦決定した前記長さが変わることはない。したがって、例えば、眼鏡バンド(10)を装着した眼鏡(12)を顔面から外し再度着用する際などでも、蔓部(14)同士を連結する眼鏡バンド(10)の長さは変わらず、顔面への圧着力も変化しないため、再調節が不要である。
【００３６】
なお、上述の実施例では、眼鏡バンド(10)として弾性糸からなる糸条(16)を組紐状に編織した構造のものを示したが、眼鏡バンド(10)の両端部(10a)に編目(18)が設けられるものであればその構造は如何なるものであってもよく、図２に示すように、弾性糸からなる糸条(16)をメリヤス編みしたものや図示しないガータ編み或いは鎖編みしたものなどであってもよい。さらに、編目(18)への蔓部(14)の貫挿を容易にすべく、弾性糸からなる糸条(16)を編目(18)がより大きくなるように網目状に編織したものであってもよい。
【００３７】
また、眼鏡バンド(10)として全体が弾性糸からなる糸条(16)を編織して構成したものを示したが、図３に示すように、眼鏡バンド(10)の両端部(10a)のみを弾性糸からなる糸条(16)を編織したもので構成し、使用者の後頭部に係止する他の部分を短冊状の弾性あるいは非弾性の部材(20)で構成するようにしてもよい。ただし、上述したように、眼鏡バンド(10)として全体が弾性糸からなる糸条(16)を編織した構造のものであれば、眼鏡バンド(10)を装着した眼鏡(12)を着用した際、眼鏡バンド(10)が係止される使用者の後頭部の通気性を確保でき、着用感をより良好なものとすることができる。
【図面の簡単な説明】
【００３８】
【図１】本発明の一実施例の眼鏡バンドを示す斜視図である。
【図２】本発明の他の実施例の眼鏡バンドの要部を示す正面図である。
【図３】本発明の他の実施例の眼鏡バンドを示す斜視図である。
【図４】従来の眼鏡バンドを示す斜視図である。
【符号の説明】
【００３９】
(10)…眼鏡バンド
(10a)…両端部
(12)…眼鏡
(14)…蔓部
(16)…糸条
(18)…編目
(20)…(短冊状の)部材
【図１】
2005221914.tif 000003
【図２】
2005221914.tif 000004
【図３】
2005221914.tif 000005
【図４】
2005221914.tif 000006